(57)【特許請求の範囲】
【請求項１】
窓枠、壁又は天井に取付けられたヘッドレールから遮蔽体が垂下され、一端が前記遮蔽体に接続されヘッドレール内を通って配索された複数の昇降コードの他端がヘッドレールの一端から垂下され、前記複数の昇降コードの他端をまとめて結合するコード結合具において、
前記複数の昇降コードが２本であり、
前記２本の昇降コードのうちの１本の昇降コードの他端が離脱不能に接続され側面に凹部が形成された結合具本体と、
この結合具本体の凹部を側方から閉止するように前記結合具本体の側面に分割可能に嵌着され前記２本の昇降コードのうちの残りの１本の昇降コードの他端が離脱不能に接続されたカバー体と
を有し、
前記カバー体を前記結合具本体に嵌着した状態で、前記２本の昇降コードを互いに引き離す方向の荷重が前記２本の昇降コードに作用したときに、前記結合具本体と前記カバー体が分割されて、前記２本の昇降コードの他端が互いに離れるように構成されたことを特徴とするコード結合具。
【請求項２】
窓枠、壁又は天井に取付けられたヘッドレールから遮蔽体が垂下され、一端が前記遮蔽体に接続されヘッドレール内を通って配索された複数の昇降コードの他端がヘッドレールの一端から垂下され、前記複数の昇降コードの他端をまとめて結合するコード結合具において、
前記複数の昇降コードが３本以上であり、
前記３本以上の昇降コードから選択された１本の昇降コードの他端が離脱不能に接続され側面に凹部が形成された結合具本体と、
この結合具本体の凹部を側方から閉止するように前記結合具本体の側面に分割可能に嵌着され前記３本以上の昇降コードのうち前記選択された１本の昇降コードを除いた残りの昇降コードから更に選択された１本の昇降コードの他端が離脱不能に接続されたカバー体と、
前記結合具本体の凹部内に設けられた仕切壁に形成され前記３本以上の昇降コードのうち前記選択された２本の昇降コードを除いた残りの昇降コードが挿通可能であってかつ前記選択された２本の昇降コードを除いた残りの昇降コードの他端に形成された抜止め部が挿通不能な単一又は複数の凹溝と、
前記結合具本体の上面に設けられた上壁に形成され前記選択された２本の昇降コードを除いた残りの昇降コードを遊挿可能な遊挿溝と
を有し、
前記選択された２本の昇降コードを除いた残りの昇降コードの他端近傍を前記凹溝に挿通して前記抜止め部を前記凹溝に係止し、前記カバー体を前記結合具本体に嵌着した状態で、前記複数の昇降コードが２群に分かれかつこれら２群の昇降コードを互いに引き離す方向の荷重が前記２群の昇降コードに作用したときに、前記結合具本体と前記カバー体が分割されて、前記３本以上の昇降コードの他端が互いに離れるように構成されたことを特徴とするコード結合具。
【請求項３】
前記選択された１本の昇降コードの他端を前記結合具本体に離脱不能に接続するための通孔が前記結合具本体の上壁に形成され、この通孔が前記上壁の外周縁に沿って延びる長孔状に形成された請求項１又は２記載のコード結合具。
【請求項４】
前記凹部内の上面に前記長孔状の通孔の長手方向中央に向って傾斜する傾斜面が形成された請求項３記載のコード結合具。
【請求項５】
前記選択された２本の昇降コードを除いた残りの昇降コードの他端の抜止め部が、前記残りの昇降コードの他端を結んで形成され前記凹溝の幅より大径の結び目である請求項２記載のコード結合具。
【請求項６】
前記選択された２本の昇降コードを除いた残りの昇降コードの他端の抜止め部が、前記残りの昇降コードの他端に嵌入され前記凹溝の幅より大径の円筒体と、前記残りの昇降コードの他端に前記円筒体を嵌入した後に前記残りの昇降コードの他端を結んで形成された結び目とにより構成された請求項２記載のコード結合具。
【請求項７】
前記遊挿溝が、前記凹部の開口端縁から前記凹部の奧に向うに従って次第に狭くなって前記結合具本体に離脱不能に接続された１本の昇降コードに近付くように前記結合具本体の上壁にＶ字状に形成された請求項２記載のコード結合具。
【請求項８】
前記結合具本体の下面に下壁が設けられ、前記遮蔽体を昇降するために操作する操作コードが前記下壁に離脱不能に接続された請求項１又は２記載のコード結合具。
【請求項９】
前記結合具本体の下面に下壁が設けられ、この下壁の開口端から舌状片が突設され、前記カバー体の下部に前記舌状片に遊嵌可能な角孔が形成された請求項８記載のコード結合具。
【発明の詳細な説明】
【技術分野】
【０００１】
本発明は、一端がローマンシェードやプリーツスクリーン等の遮蔽体に接続された昇降コードの他端をまとめて結合するコード結合具に関するものである。
【背景技術】
【０００２】
従来、複数本の昇降コードの端末を軸方向に挿入して止着する結束具を備えたベネシャンブラインドの昇降コード端末結束装置が開示されている（例えば、特許文献１参照。）。この昇降コード端末結束装置では、結束具が軸心から複数の分割体に等分割され、各昇降コードがそれぞれの分割体のコード孔に挿通される。また各昇降コード端末を各分割体のコード孔に挿通した後に各昇降コードの端末を結んで各昇降コードの端末に膨大部を形成することにより、各昇降コードの端末がそれぞれの分割体に止着される。更に複数の分割体を合体し、この合体した状態の結束具に外嵌部材が嵌着される。
【０００３】
このように構成されたベネシャンブラインドの昇降コード端末結束装置では、複数の昇降コードが相互に捩れて絡んだとき、外嵌部材を外すと、各昇降コードの端末を止着したそれぞれの分割体は分離してばらばらになるので、昇降コードの捩れと絡みを簡単に修正することができる。また、捩れと絡みの修正後は、全分割体を筒形に合せて結束具をまとめ、この状態で結束具に外嵌部材を嵌着する。更に昇降コードに人や物が引っ掛かったときも、外嵌部材が一定の荷重で自動的に外れるようにしておけば、昇降コードに引っ掛かった人や物を昇降コードから速やかに解放できる。
【先行技術文献】
【特許文献】
【０００４】
【特許文献１】特許第３３６５０５３号公報（請求項１、段落［０００５］、図１及び図２）
【発明の概要】
【発明が解決しようとする課題】
【０００５】
しかし、上記従来の特許文献１に示されたベネシャンブラインドの昇降コード端末結束装置では、人や物が複数の昇降コードを２群に分けるように昇降コードに引っ掛かって、これら２群の昇降コードを互いに引き離す方向に所定値以上の荷重が結束装置に作用したときに、外嵌部材が複数の分割体からスムーズに外れず、人や物が昇降コードから速やかに解放されないおそれがあった。
【０００６】
本発明の目的は、人や物が複数の昇降コードを２本又は２群に分けるように昇降コードに引っ掛かって、これら２本又は２群の昇降コードを互いに引き離す方向に所定値以上の荷重がコード結合具に作用したときに、これらの昇降コードの他端をスムーズに分離でき、人や物を昇降コードから速やかに解放できる、コード結合具を提供することにある。
【課題を解決するための手段】
【０００８】
本発明の第１の観点は、図１〜図４に示すように、窓枠、壁又は天井に取付けられたヘッドレール１３から遮蔽体１４が垂下され、一端が遮蔽体１４に接続されヘッドレール１３内を通って配索された複数の昇降コード１１，１２の他端がヘッドレール１３の一端から垂下され、複数の昇降コード１１，１２の他端をまとめて結合するコード結合具２０において、複数の昇降コード１１，１２が２本であり、これら２本の昇降コード１１，１２のうちの１本の昇降コード１１の他端が離脱不能に接続され側面に凹部２１ａが形成された結合具本体２１と、この結合具本体２１の凹部２１ａを側方から閉止するように結合具本体２１の側面に分割可能に嵌着され２本の昇降コード１１，１２のうちの残りの１本の昇降コード１２の他端が離脱不能に接続されたカバー体２２とを有し、カバー体２２を結合具本体２１に嵌着した状態で、２本の昇降コード１１，１２を互いに引き離す方向の荷重が２本の昇降コード１１，１２に作用したときに、結合具本体２１とカバー体２２が分割されて、２本の昇降コード１１，１２の他端が互いに離れるように構成されたことを特徴とする。
【０００９】
本発明の第２の観点は、図５〜図１０に示すように、窓枠、壁又は天井に取付けられたヘッドレール４６から遮蔽体４７が垂下され、一端が遮蔽体４７に接続されヘッドレール４６内を通って配索された複数の昇降コード４１〜４５の他端がヘッドレール４６の一端から垂下され、複数の昇降コード４１〜４５の他端をまとめて結合するコード結合具５０において、複数の昇降コード４１〜４５が３本以上であり、これら３本以上の昇降コード４１〜４５から選択された１本の昇降コード４１の他端が離脱不能に接続され側面に凹部５１ａが形成された結合具本体５１と、この結合具本体５１の凹部５１ａを側方から閉止するように結合具本体５１の側面に分割可能に嵌着され３本以上の昇降コード４１〜４５のうち上記選択された１本の昇降コード４１を除いた残りの昇降コード４２〜４５から更に選択された１本の昇降コード４２の他端が離脱不能に接続されたカバー体５２と、結合具本体５１の凹部５１ａ内に設けられた仕切壁５１ｅに形成され３本以上の昇降コード４１〜４５のうち上記選択された２本の昇降コード４１，４２を除いた残りの昇降コード４３〜４５が挿通可能であってかつ上記選択された２本の昇降コード４１，４２を除いた残りの昇降コード４３〜４５の他端に形成された抜止め部４３ａ〜４５ａが挿通不能な単一又は複数の凹溝５１ｊ，５１ｋ，５１ｍと、結合具本体５１の上面に設けられた上壁５１ｃに形成され上記選択された２本の昇降コード４１，４２を除いた残りの昇降コード４３〜４５を遊挿可能な遊挿溝５１ｎとを有し、上記選択された２本の昇降コード４１，４２を除いた残りの昇降コード４３〜４５の他端近傍を凹溝５１ｊ，５１ｋ，５１ｍに挿通して抜止め部４３ａ〜４５ａを凹溝５１ｊ，５１ｋ，５１ｍに係止し、カバー体５２を結合具本体５１に嵌着した状態で、複数の昇降コード４１〜４５が２群に分かれかつこれら２群の昇降コード４１〜４５を互いに引き離す方向の荷重が２群の昇降コード４１〜４５に作用したときに、結合具本体５１とカバー体５２が分割されて、３本以上の昇降コード４１〜４５の他端が互いに離れるように構成されたことを特徴とする。
【００１０】
本発明の第３の観点は、第１又は第２の観点に基づく発明であって、更に図１６に示すように、上記選択された１本の昇降コード４１の他端を結合具本体９１に離脱不能に接続するための通孔９１ｈが結合具本体９１の上壁９１ｃに形成され、この通孔９１ｈが上壁９１ｃの外周縁に沿って延びる長孔状に形成されたことを特徴とする。
【００１１】
本発明の第４の観点は、第３の観点に基づく発明であって、更に図１８に示すように、凹部９１ａ内の上面に長孔状の通孔９１ｈの長手方向中央に向って傾斜する傾斜面９１ｐが形成されたことを特徴とする。
【００１２】
本発明の第５の観点は、第２の観点に基づく発明であって、更に図５及び図７〜図９に示すように、上記選択された２本の昇降コード４１，４２を除いた残りの昇降コード４３〜４５の他端の抜止め部４３ａ〜４５ａが、上記残りの昇降コード４３〜４５の他端を結んで形成され凹溝５１ｊ，５１ｋ，５１ｍの幅より大径の結び目４３ｂ〜４５ｂであることを特徴とする。
【００１３】
本発明の第６の観点は、第２の観点に基づく発明であって、更に図１１〜図１５に示すように、上記選択された２本の昇降コード７１，７２を除いた残りの昇降コード７３〜７５の他端の抜止め部７３ａ〜７３ｃが、上記残りの昇降コード７３〜７５の他端に嵌入され凹溝５１ｊ，５１ｋ，５１ｍの幅より大径の円筒体７３ｂ〜７５ｂと、上記残りの昇降コード７３〜７５の他端に円筒体７３ｂ〜７５ｂを嵌入した後に上記残りの昇降コード７３〜７５の他端を結んで形成された結び目７３ｃ〜７５ｃとにより構成されたことを特徴とする。
【００１４】
本発明の第７の観点は、第２の観点に基づく発明であって、更に図５に示すように、遊挿溝５１ｎが、凹部５１ａの開口端縁から凹部５１ａの奧に向うに従って次第に狭くなって結合具本体５１に離脱不能に接続された１本の昇降コード４１に近付くように結合具本体５１の上壁５１ｃにＶ字状に形成されたことを特徴とする。
【００１５】
本発明の第８の観点は、第１又は第２の観点に基づく発明であって、更に図１、図３及び図４に示すように、結合具本体２１の下面に下壁２１ｄが設けられ、遮蔽体１４を昇降するために操作する操作コード２３が下壁２１ｄに離脱不能に接続されたことを特徴とする。
【００１６】
本発明の第９の観点は、第８の観点に基づく発明であって、更に図１６〜図１８に示すように、結合具本体９１の下面に下壁９１ｄが設けられ、この下壁９１ｄの開口端から舌状片９１ｑが突設され、前記カバー体９２の下部に前記舌状片９１ｑに遊嵌可能な角孔９２ｇが形成されたことを特徴とする。
【発明の効果】
【００１８】
本発明の第１の観点のコード結合具では、カバー体を結合具本体に嵌着した状態で、２本の昇降コードを互いに引き離す方向の荷重（昇降コード引き離し荷重）が２本の昇降コードに作用したときに、結合具本体とカバー体が分割されて、２本の昇降コードの他端が互いに離れるように構成したので、人や物が昇降コードを２本に分けるように昇降コードに引っ掛かって、これら２本の昇降コードを互いに引き離す方向に所定値以上の荷重（昇降コード引き離し荷重）がコード結合具に作用すると、結合具本体とカバー体が上記昇降コード引き離し荷重により分割されて、２本の昇降コードの他端が互いに離れる。このように２本の昇降コードの他端をスムーズに分離できるので、人や物を昇降コードから速やかに解放できる。
【００１９】
本発明の第２の観点のコード結合具では、３本以上の昇降コードのうち上記選択された２本の昇降コードを除いた残りの昇降コードの他端近傍を凹溝に挿通して抜止め部を凹溝に係止し、カバー体を結合具本体に嵌着した状態で、複数の昇降コードが２群に分かれかつこれら２群の昇降コードを互いに引き離す方向の荷重（昇降コード引き離し荷重）が２群の昇降コードに作用したときに、結合具本体とカバー体が分割されて、３本以上の昇降コードの他端が互いに離れるように構成したので、人や物が３本以上の昇降コードを２群に分けるように昇降コードに引っ掛かって、これら２群の昇降コードを互いに引き離す方向に所定値以上の荷重（昇降コード引き離し荷重）がコード結合具に作用すると、結合具本体とカバー体が上記昇降コード引き離し荷重により分割されて、３本以上の昇降コードの他端が互いに離れる。このように３本以上の昇降コードの他端をスムーズに分離できるので、人や物を昇降コードから速やかに解放できる。
【００２０】
本発明の第３の観点のコード結合具では、上記選択された１本の昇降コードの他端を結合具本体に離脱不能に接続するための通孔を結合具本体の上壁に形成し、この通孔を上壁の外周縁に沿って延びる長孔状に形成したので、人や物が２本又は３本以上の昇降コードを２本又は２群に分けるように昇降コードに引っ掛かって、これら２本又は２群の昇降コードを互いに引き離す方向に所定値以上の荷重（昇降コード引き離し荷重）がコード結合具に作用すると、長孔状の通孔に遊挿された昇降コードは長孔状の通孔の長手方向に移動して、結合具本体とカバー体とのバランスが崩れ易くなる。この結果、結合具本体とカバー体が上記昇降コード引き離し荷重によりスムーズに分割されて、２本又は２群の昇降コードの他端が確実に離れる。このように２本又は３本以上の昇降コードの他端を確実に分離できるので、人や物を昇降コードから確実に解放できる。
【００２１】
本発明の第４の観点のコード結合具では、凹部内の上面に長孔状の通孔の長手方向中央に向って傾斜する傾斜面を形成したので、この長孔状の通孔に遊挿された昇降コードが通常の使用時に長孔状の通孔の長手方向中央に寄せられる。この結果、人や物が２本又は３本以上の昇降コードを２本又は２群に分けるように昇降コードに引っ掛かって、これら２本又は２群の昇降コードを互いに引き離す方向に所定値以上の荷重（昇降コード引き離し荷重）がコード結合具に作用したときに、長孔状の通孔に遊挿された昇降コードが長孔状の通孔の長手方向中央から長孔状の通孔の端部に移動するので、結合具本体とカバー体とのバランスが更に崩れ易くなる。この結果、結合具本体とカバー体が上記昇降コード引き離し荷重によりスムーズにかつより確実に分割されて、２本又は２群の昇降コードの他端がより確実に離れる。このように２本又は３本以上の昇降コードの他端をより確実に分離できるので、人や物を昇降コードからより確実に解放できる。
【００２２】
本発明の第５の観点のコード結合具では、上記選択された２本の昇降コードを除いた残りの昇降コードの他端の抜止め部が、上記残りの昇降コードの他端を結んで形成され凹溝の幅より大径の結び目であるので、昇降コードの他端に結び目を形成するという比較的簡単な作業で、昇降コードの他端近傍を結合具本体の凹溝に挿通した状態で、昇降コードにその長手方向に引っ張り荷重が作用したときに、昇降コードが凹溝から抜けなくなる。
【００２３】
本発明の第６の観点のコード結合具では、上記選択された２本の昇降コードを除いた残りの昇降コードの他端の抜止め部を、上記残りの昇降コードの他端に嵌着され凹溝の幅より大径の円筒体と、上記残りの昇降コードの他端に円筒体を嵌入した後に上記残りの昇降コードの他端を結んで形成された結び目とにより構成したので、昇降コードの他端近傍を結合具本体の凹溝に挿通した状態で、昇降コードにその長手方向に引っ張り荷重が作用したときに、昇降コードが凹溝から抜けなくなる。また、昇降コードが凹溝から抜ける方向の荷重が昇降コードに作用して昇降コードの他端が凹溝から離脱することにより、遮蔽体がその自重により下降して昇降コードが上昇したときに、昇降コード他端がヘッドレール内に引込まれるのを昇降コード他端の円筒体が阻止する。この結果、ヘッドレール近傍まで上昇した昇降コードを引下げ、昇降コードの他端近傍を結合具本体の凹溝に挿入して、カバー体を結合具本体に嵌着するという比較的容易な作業で、コード結合具を使用状態に復帰できる。更に、人や物が３本以上の昇降コードを２群に分けるように昇降コードに引っ掛かって、これら２群の昇降コードを互いに引き離す方向に所定値以上の荷重（昇降コード引き離し荷重）がコード結合具に作用したときに、上記円筒体がコード結合具内でコード結合具に対し又は隣りの円筒体に対し相対的に変位しようとして、コード結合具をその内部から押し広げる荷重（押し広げ荷重）も作用するので、上記昇降コード引き離し荷重と上記押し広げ荷重とにより、結合具本体とカバー体とを確実に分割できる。
【００２４】
本発明の第７の観点のコード結合具では、遊挿溝が、凹部の開口端縁から凹部の奧に向うに従って次第に狭くなって結合具本体に離脱不能に接続された１本の昇降コードに近付くように結合具本体の上壁にＶ字状に形成されたので、人や物が３本以上の昇降コードを２群に分けるように昇降コードに引っ掛かって、これら２群の昇降コードを互いに引き離す方向に所定値以上の荷重（昇降コード引き離し荷重）がコード結合具に作用したときに、Ｖ字状の遊挿溝に遊挿された昇降コードのうち結合具本体の上壁に離脱不能に接続された１本の昇降コードと同じ方向の昇降コード引き離し荷重が作用する昇降コードは、Ｖ字状の遊挿溝により略一箇所に集まる。この結果、２群の昇降コードに上記昇降コード引き離し荷重が比較的有効に作用するので、結合具本体とカバー体とを確実に分割できる。
【００２５】
本発明の第８の観点のコード結合具では、結合具本体の下面に下壁を設け、遮蔽体を昇降するために操作する操作コードを下壁に離脱不能に接続したので、遮蔽体の全高が大きい場合、遮蔽体の全閉時にコード結合具が比較的高い位置まで上昇して、コード結合具に手が届かなくても、操作コードを操作して遮蔽体を昇降することができる。この結果、遮蔽体の昇降操作を比較的容易に行うことができる。
【００２６】
本発明の第９の観点のコード結合具では、結合具本体の下壁の開口端から舌状片を突設し、カバー体の下部に舌状片に遊嵌可能な角孔を形成したので、カバー体を結合具本体に嵌着すると、結合具本体の下壁の舌状片に、カバー体の開口閉止部の角孔が遊嵌される。この結果、操作コードを把持して引下げたときに、結合具本体とカバー体との間に昇降コード及び操作コードの長手方向に引き離す荷重が作用するけれども、結合具本体の一対の被係止部上面に突設された上壁がカバー体の上方への移動を阻止するとともに、結合具本体の下壁に突設された舌状片がカバー体の上方への移動を阻止するので、カバー体は結合具本体から離脱しない。
【図面の簡単な説明】
【００２７】
【図１】本発明第１実施形態のコード結合具の結合具本体とカバー体を組立てる手順を示す図４のＡ部拡大斜視図である。
【図２】図３のＢ−Ｂ線断面図である。
【図３】図２のＣ−Ｃ線断面図である。
【図４】そのコード結合具を含むローマンシェードの要部斜視図である。
【図５】本発明第２実施形態のコード結合具の結合具本体とカバー体を組立てる手順を示す図１０のＤ部拡大斜視図である。
【図６】図７のＥ−Ｅ線断面図である。
【図７】図６のＦ−Ｆ線断面図である。
【図８】図６のＧ−Ｇ線断面図である。
【図９】図６のＨ−Ｈ線断面図である。
【図１０】そのコード結合具を含むローマンシェードの要部斜視図である。
【図１１】本発明第３実施形態のコード結合具の結合具本体とカバー体を組立てる手順を示す図５に対応する斜視図である。
【図１２】図１３のＩ−Ｉ線断面図である。
【図１３】図１２のＪ−Ｊ線断面図である。
【図１４】図１２のＫ−Ｋ線断面図である。
【図１５】図１２のＬ−Ｌ線断面図である。
【図１６】本発明第４実施形態のコード結合具の結合具本体とカバー体を組立てる手順を示す図５に対応する斜視図である。
【図１７】図１８のＭ−Ｍ線断面図である。
【図１８】図１７のＮ−Ｎ線断面図である。
【図１９】図１７のＰ−Ｐ線断面図である。
【図２０】図１７のＱ−Ｑ線断面図である。
【図２１】本発明第５実施形態のコード結合具の結合具本体とカバー体を組立てる手順を示す図１６に対応する斜視図である。
【図２２】図２３のＲ−Ｒ線断面図である。
【図２３】図２２のＳ−Ｓ線断面図である。
【図２４】図２２のＴ−Ｔ線断面図である。
【図２５】図２２のＵ−Ｕ線断面図である。
【発明を実施するための形態】
【００２８】
次に本発明を実施するための形態を図面に基づいて説明する。
【００２９】
＜第１の実施の形態＞
図４に示すように、ローマンシェード１０は、図示しない固定用ブラケットを介して部屋の窓枠に取付けられたヘッドレール１３と、このヘッドレール１３の長さと略同一の幅を有しヘッドレール１３から垂下されたスクリーン１４と、一端がスクリーン１４の下端近傍に接続されヘッドレール１３内を通って配索され他端がヘッドレール１３の一端から垂下された２本の第１及び第２昇降コード１１，１２と、これら第１及び第２昇降コード１１，１２の他端をまとめて結合するコード結合具２０とを備える。ヘッドレール１３の内部空間には、２つのコード挿通部材１５がヘッドレール１３の長手方向に所定の間隔をあけて収容される。また第１及び第２昇降コード１１，１２の一端は２つのコード挿通部材１５からスクリーン１４の背面に沿ってそれぞれ垂下される。このスクリーン１４の背面には、上記コード挿通部材１５から垂下された第１及び第２昇降コード１１，１２に背面から見て重なるように２本のテープ１６，１６がそれぞれ縫い付けられ、これら２本のテープ１６，１６に鉛直方向に所定の間隔をあけてループリング（図示せず）がそれぞれ設けられる。更に複数のループリングのうち最下端のループリングを除くループリングには、ガイドリング１７がそれぞれ取付けられ、最下端のループリングにはコード止め具１８が取付けられる。上記コード挿通部材１５から垂下された２本の昇降コード１１，１２の一端は、ガイドリング１７に遊挿された後にコード止め具１８にそれぞれ固定される。なお、図４中の符号１９は、スクリーン１４の下縁に沿って設けられたウエイトバーである。
【００３０】
一方、図１〜図３に示すように、コード結合具２０は、第１及び第２昇降コード１１，１２のうちの第１昇降コード１１の他端が離脱不能に接続され側面に凹部２１ａが形成された結合具本体２１と、この結合具本体２１の凹部２１ａを側方から閉止するように結合具本体２１の側面に分割可能に嵌着され第１及び第２昇降コード１１，１２のうちの第２昇降コード１２の他端が離脱不能に接続されたカバー体２２とを有する。結合具本体２１は、横断面が略Ｃ字状に形成され鉛直方向に延びて設けられた胴部２１ｂと、この胴部２１ｂと一体的に設けられ胴部２１ｂの上面を閉止しかつ一部を切欠いた円板状に形成された上壁２１ｃと、胴部２１ｂと一体的に設けられ胴部２１ｂの下面を閉止する略円板状の下壁２１ｄとからなる（図１及び図２）。胴部２１ｂの中央には比較的大きな上記凹部２１ａが形成され、胴部２１ｂの一部をなし凹部２１ａの両側縁を形成する一対の側壁２１ｅ，２１ｅの外周面には胴部２１ｂの横断面において円周方向の中央が外方に突出するように湾曲しかつ略一定の深さで凹む一対の被係止部２１ｆ，２１ｆが形成される。これらの被係止部２１ｆ，２１ｆの上面には上壁２１ｃが突設され、下面には下壁２１ｄが突設される。
【００３１】
カバー体２２は、凹部２１ａの開口面を開放可能に閉止する開口閉止部２２ａと、この開口閉止部２２ａと一体的に設けられ開口閉止部２２ａの上面の一部を閉止し円板の大部分を切欠いた略半月板状に形成された上面閉止部２２ｂと、開口閉止部２２ａと一体的に設けられ一対の被係止部２１ｆ，２１ｆに弾性変形して係止可能な一対の係止片２２ｃ，２２ｃとからなる（図１〜図３）。上面閉止部２２ｂは、カバー体２２を結合具本体２１に嵌着したときに、結合具本体２１の上壁２１ｃとともに円板となるように形成される（図１（ｂ））。また一対の係止片２２ｃ，２２ｃは、開口閉止部２２ａの両側縁から互いに対向しかつ結合具本体２１の一対の被係止部２１ｆ，２１ｆに収まるように湾曲して形成される（図１及び図２）。カバー体２２を結合具本体２１に嵌着して組立てられたコード結合具２０は、上下面が閉止されかつ外周面の鉛直方向中央が外方に突出するように湾曲した略樽状に形成される（図１（ｂ）及び図３）。なお、図２及び図３中の符号２２ｄは、上面閉止部２２ｂの先端縁から垂下された区画壁である。また、結合具本体２１及びカバー体２２は、弾性変形可能なポリカーボネート、アセタール、ナイロン等のプラスチックにより形成されることが好ましい。
【００３２】
第１及び第２昇降コード１１，１２のうち結合具本体２１に接続された第１昇降コード１１の他端は、結合具本体２１の上壁２１ｃに形成された第１通孔２１ｇに上方から挿通された後に、この第１昇降コード１１の他端を結んで結び目１１ａを形成することにより、結合具本体２１に離脱不能に接続される（図３）。ここで、第１通孔２１ｇは、凹部２１ａの最も奧に位置するように上壁に形成される。また、第１及び第２昇降コードのうちカバー体に接続された残りの第２昇降コード１２の他端は、カバー体２２の上面閉止部２２ｂに形成された第２通孔２２ｅに上方から挿通された後に、この第２昇降コード１２の他端を結んで結び目１２ａを形成することにより、カバー体２２に離脱不能に接続される。ここで、第２通孔２２ｅは、上面閉止部２２ｂの中央に形成される（図１及び図２）。また、第２昇降コード１２の他端に形成された結び目１２ａは、開口閉止部２２ａと上面閉止部２２ｂと区画壁２２ｄにより形成された結び目収容部２２ｆに収容される（図３）。
【００３３】
一方、結合具本体２１の下壁２１ｄには、スクリーン１４を昇降するために操作する操作コード２３の一端が離脱不能に接続される（図１〜図３）。具体的には、結合具本体２１の下壁２１ｄの中央に第３通孔２１ｈが形成される（図３）。そして操作コード２３の一端を結合具本体２１の第３通孔２１ｈに下方から挿通した後に、この操作コード２３の一端を結んで結び目２３ａを形成することにより、操作コード２３の一端が結合具本体２１に離脱不能に接続される（図２及び図３）。また、操作コード２３の他端はスクリーン１４の下端に離脱不能に接続される。なお、結合具本体２１及びカバー体２２はヘッドレール１３に形成された第１及び第２昇降コード１１，１２の挿通口（図示せず）より大きく形成され、これにより第１及び第２昇降コード１１，１２の他端がヘッドレール１３内に引込まれるのを結合具本体２１及びカバー体２２が阻止するように構成される。
【００３４】
このように構成されたコード結合具２０を含むローマンシェード１０の動作を説明する。カバー体２２を結合具本体２１に嵌着してコード結合具２０を組立てる。この状態でコード結合具２０又は操作コード２３を把持して、第１及び第２昇降コード１１，１２を引上げると、スクリーン１４は上昇し、コード結合具２０又は操作コード２３の把持する力を緩めると、スクリーン１４はその自重により下降する。また操作コード２３を把持して引下げると、結合具本体２１とカバー体２２との間に第１及び第２昇降コード１１，１２の長手方向に引き離す荷重が作用するけれども、結合具本体２１の一対の被係止部２１ｆ，２１ｆ上面に突設された上壁２１ｃがカバー体２２の上方への移動を阻止するので、カバー体２２は結合具本体２１から離脱しない。
【００３５】
一方、カバー体２２を結合具本体２１に嵌着した状態で、第１及び第２昇降コード１１，１２を互いに引き離す方向の荷重（昇降コード引き離し荷重）が第１及び第２昇降コード１１，１２に作用すると、カバー体２２の一対の係止片２２ｃ,２２ｃが弾性変形して結合具本体２１の一対の被係止部２１ｆ,２１ｆから離脱し、結合具本体２１とカバー体２２が分割されて、第１及び第２昇降コード１１，１２の他端が互いに離れる。具体的には、人や物が第１及び第２昇降コード１１，１２を２本に分けるように第１及び第２昇降コード１１，１２に引っ掛かって、これら第１及び第２昇降コード１１，１２を互いに引き離す方向に所定値以上の荷重（昇降コード引き離し荷重：例えば、幼児が昇降コードに引っ掛かった場合に２本の昇降コード間に作用する程度の荷重）がコード結合具２０に作用すると、結合具本体２１とカバー体２２が上記昇降コード引き離し荷重により分割されて、第１及び第２昇降コード１１，１２の他端が互いに離れる。このように第１及び第２昇降コード１１，１２の他端をスムーズに分離できるので、人や物を第１及び第２昇降コード１１，１２から速やかに解放できる。またスクリーン１４の全高が大きい場合、スクリーン１４の全閉時にコード結合具２０が比較的高い位置まで上昇して、コード結合具２０に手が届かなくなる場合があり、この場合、操作コード２３を操作してスクリーン１４を昇降することができる。この結果、スクリーン１４の昇降操作を比較的容易に行うことができる。
【００３６】
＜第２の実施の形態＞
図５〜図１０は本発明の第２の実施の形態を示す。図５〜図１０において図１〜図４と同一符号は同一部品を示す。この実施の形態では、昇降コード４１〜４５が５本である（図５）。そして、コード結合具５０は、これら５本の第１〜第５昇降コード４１〜４５から選択された１本の第１昇降コード４１の他端が離脱不能に接続され側面に凹部５１ａが形成された結合具本体５１と、この結合具本体５１の凹部５１ａを側方から閉止するように結合具本体５１の側面に分割可能に嵌着され第１〜第５昇降コード４１〜４５のうち上記選択された第１昇降コード４１を除いた残りの第２〜第５昇降コード４２〜４５から更に選択された１本の第２昇降コード４２の他端が離脱不能に接続されたカバー体２２とを有する（図５〜図９）。図１０に示すように、この実施の形態のローマンシェード４０は、ヘッドレール４６の内部空間に、５つのコード挿通部材１５（図１０には３つのコード挿通部材１５が描かれている。）がヘッドレール４６の長手方向に所定の間隔をあけて収容される。また第１〜第５昇降コード４１〜４５の一端は５つのコード挿通部材１５からスクリーン４７の背面に沿ってそれぞれ垂下される。更に、スクリーン４７の下縁に沿ってウエイトバー４８が設けられる。
【００３７】
上記結合具本体５１は、横断面が略Ｃ字状に形成され鉛直方向に延びて設けられた胴部５１ｂと、この胴部５１ｂと一体的に設けられ胴部５１ｂの上面を閉止しかつ一部を切欠いた円板状に形成された上壁５１ｃと、胴部５１ｂと一体的に設けられ胴部５１ｂの下面を閉止する略円板状の下壁５１ｄと、凹部５１ａ内の中央上部に水平方向に延びて設けられた仕切壁５１ｅとからなる（図５〜図９）。胴部５１ｂの一部をなし凹部５１ａの両側縁を形成する一対の側壁５１ｆ，５１ｆの外周面には胴部５１ｂの横断面において円周方向の中央が外方に突出するように湾曲しかつ略一定の深さで凹む一対の被係止部５１ｇ，５１ｇが形成される（図５（ａ）、図６、図８及び図９）。これらの被係止部５１ｇ，５１ｇの上面には上壁５１ｃが突設され、下面には下壁５１ｄが突設される（図５（ａ）、図８及び図９）。また仕切壁５１ｅには、上記選択された第１及び第２昇降コード４１，４２を除いた残りの３本の第３〜第５昇降コード４３〜４５が挿通可能であってかつ第３〜第５昇降コード４３〜４５の他端に形成された抜止め部４３ａ〜４５ａが挿通不能な３つの第１〜第３凹溝５１ｊ，５１ｋ，５１ｍが形成される（図５（ａ）、図６、図７及び図９）。第１〜第３凹溝５１ｊ，５１ｋ，５１ｍは、凹部５１ａの開口端縁から凹部５１ａの奧に向って延びるように仕切壁５１ｅにそれぞれ形成される。第１〜第３凹溝５１ｊ，５１ｋ，５１ｍのうち中央の第１凹溝５１ｊの深さは第３〜第５昇降コード４３〜４５の直径の少なくとも３倍に形成され、第１〜第３凹溝５１ｊ，５１ｋ，５１ｍのうち両側の第２及び第３凹溝５１ｋ，５１ｍの深さは第３〜第５昇降コード４３〜４５の直径と略同一に形成される。
【００３８】
結合具本体５１の上壁５１ｃには第３〜第５昇降コード４３〜４５を遊挿可能な遊挿溝５１ｎが形成される（図５及び図７〜図９）。この遊挿溝５１ｎは、結合具本体５１の凹部５１ａの開口端縁から凹部５１ａの奧に向うに従って次第に狭くなるＶ字状に形成され、先端が結合具本体５１に離脱不能に接続された第１昇降コード４１に近付くように結合具本体５１の上壁５１ｃに形成される（図５）。また第３〜第５昇降コード４３〜４５の他端に形成された抜止め部４３ａ〜４５ａは、第３〜第５昇降コード４３〜４５の他端を結んで形成された結び目４３ｂ〜４５ｂである（図５（ａ）及び図７〜図９）。これらの結び目４３ｂ〜４５ｂは第１〜第３凹溝５１ｊ，５１ｋ，５１ｍの幅より大径に形成される。上記以外は第１の実施の形態と同一に構成される。
【００３９】
このように構成されたコード結合具５０を含むローマンシェード４０の動作を説明する。第１〜第５昇降コード４１〜４５のうち上記選択された第１及び第２昇降コード４１，４２を除いた残りの第３〜第５昇降コード４３〜４５の他端近傍を第１〜第３凹溝５１ｊ，５１ｋ，５１ｍに挿通して第２〜第５昇降コード４３〜４５の抜止め部４３ａ〜４５ａを第１〜第３凹溝５１ｊ，５１ｋ，５１ｍにそれぞれ係止し、カバー体２２を結合具本体５１に嵌着する。この状態でコード結合具５０又は操作コード２３を把持して、第１〜第５昇降コード４１〜４５を引上げるとスクリーン４７は上昇し、コード結合具５０又は操作コード２３の把持する力を緩めると、スクリーン４７はその自重により下降する。また操作コード２３を把持して引下げると、結合具本体５１とカバー体２２との間に第１〜第５昇降コード４１〜４５の長手方向に引き離す荷重が作用するけれども、結合具本体５１の一対の被係止部５１ｇ，５１ｇ上面に突設された上壁５１ｃがカバー体２２の上方への移動を阻止するので、カバー体２２は結合具本体５１から離脱しない。
【００４０】
一方、人や物が第１〜第５昇降コード４１〜４５を２群に分けるように第１〜第５昇降コード４１〜４５に引っ掛かって、これら２群の第１〜第５昇降コード４１〜４５を互いに引き離す方向に所定値以上の荷重（昇降コード引き離し荷重：例えば、幼児が昇降コードに引っ掛かった場合に２群の昇降コード間に作用する程度の荷重）がコード結合具５０に作用すると、カバー体２２の一対の係止片２２ｃ,２２ｃが弾性変形して結合具本体５１の一対の被係止部５１ｇ,５１ｇから離脱し、結合具本体５１とカバー体２２が上記昇降コード引き離し荷重により分割されて、第１〜第５昇降コード４１〜４５の他端が互いに離れる。このように第１〜第５昇降コード４１〜４５の他端をスムーズに分離できるので、人や物を第１〜第５昇降コード４１〜４５から速やかに解放できる。
【００４１】
また、第３〜第５昇降コード４３〜４５の他端の抜止め部４３ａ〜４５ａが、第３〜第５昇降コード４３〜４５の他端を結んで形成された結び目４３ｂ〜４５ｂであるので、第３〜第５昇降コード４３〜４５の他端に結び目４３ｂ〜４５ｂを形成するという比較的簡単な作業で、第３〜第５昇降コード４３〜４５の他端近傍を結合具本体５１の第１〜第３凹溝５１ｊ，５１ｋ，５１ｍに挿通した状態で、第３〜第５昇降コード４３〜４５にその長手方向に引っ張り荷重が作用したときに、第３〜第５昇降コード４３〜４５が第１〜第３凹溝５１ｊ，５１ｋ，５１ｍから抜けなくなる。更に、遊挿溝５１ｎが、結合具本体５１の凹部５１ａの開口端縁から凹部５１ａの奧に向うに従って次第に狭くなって結合具本体５１に離脱不能に接続された第１昇降コード４１に近付くように結合具本体５１の上壁５１ｃにＶ字状に形成されたので、人や物が第１〜第５昇降コード４１〜４５を２群に分けるように第１〜第５昇降コード４１〜４５に引っ掛かって、これら２群の第１〜第５昇降コード４１〜４５を互いに引き離す方向に所定値以上の荷重（昇降コード引き離し荷重：例えば、幼児が昇降コードに引っ掛かった場合に２群の昇降コード間に作用する程度の荷重）がコード結合具５０に作用したときに、Ｖ字状の遊挿溝５１ｎに遊挿された第３〜第５昇降コード４３〜４５のうち結合具本体５１の上壁５１ｃに離脱不能に接続された第１昇降コード４１と同じ方向の昇降コード引き離し荷重が作用する第３〜第５昇降コード４３〜４５は、Ｖ字状の遊挿溝５１ｎにより略一箇所に集まる。この結果、２群の第１〜第５昇降コード４１〜４５に上記昇降コード引き離し荷重が比較的有効に作用するので、結合具本体５１とカバー体２２とを確実に分割できる。
【００４２】
＜第３の実施の形態＞
図１１〜図１５は本発明の第３の実施の形態を示す。図１１〜図１５において図５〜図９と同一符号は同一部品を示す。この実施の形態では、選択された２本の第１及び第２昇降コード７１，７２を除いた残りの第３〜第５昇降コード７３〜７５の他端の抜止め部７３ａ〜７５ａが、第３〜第５昇降コード７３〜７５の他端に嵌着され第１〜第３凹溝５１ｊ，５１ｋ，５１ｍの幅より大径の円筒体７３ｂ〜７５ｂと、第３〜第５昇降コード７３〜７５の他端に円筒体７３ｂ〜７５ｂを嵌入した後に第３〜第５昇降コード７３〜７５の他端を結んで形成された結び目７３ｃ〜７５ｃとにより構成される。上記円筒体７３ｂ〜７５ｂは、上面が閉止され下面が開放された円筒状に形成される（図１３及び図１５）。また円筒体７３ｂ〜７５ｂの上面には第３〜第５昇降コード７３〜７５が挿通可能であって、第３〜第５昇降コード７３〜７５の他端の結び目７３ｃ〜７５ｃが挿通不能な透孔７３ｄ〜７５ｄが形成される。更に円筒体７３ｂ〜７５ｂの内部には第３〜第５昇降コード７３〜７５の結び目７３ｃ〜７５ｃを収容可能に構成され、結合具本体５１の凹部５１ａには３つの円筒体７３ｂ〜７５ｂを収容可能に構成される。なお、円筒体７３ｂ〜７５ｂはヘッドレールに形成された第１〜第５昇降コード７１〜７５の挿通口（図示せず）より大きく形成され、これにより第３〜第５昇降コード７３〜７５の他端がヘッドレール内に引込まれるのを円筒体７３ｂ〜７５ｂが阻止するように構成される。また、結合具本体５１及びカバー体２２はヘッドレールに形成された第１〜第５昇降コード７１〜７５の挿通口より大きく形成され、これにより第１及び第２昇降コード７１，７２の他端がヘッドレール内に引込まれるのを結合具本体５１及びカバー体２２が阻止するように構成される。また、円筒体７３ｂ〜７５ｂは、ポリアセタール、ナイロン、ポリエチレン等のプラスチックにより形成されることが好ましい。更に、第１及び第２昇降コード７１，７２は、第２の実施の形態の第１及び第２昇降コードと同一である。上記以外は第２の実施の形態と同一に構成される。
【００４３】
このように構成されたコード結合具７０では、第３〜第５昇降コード７３〜７５の他端の抜止め部７３ａ〜７５ａを、第３〜第５昇降コード７３〜７５の他端に嵌着され第３〜第５昇降コード７３〜７５より大径の円筒体７３ｂ〜７５ｂと、第３〜第５昇降コード７３〜７５の他端に円筒体７３ｂ〜７５ｂを嵌入した後に第３〜第５昇降コード７３〜７５の他端を結んで形成された結び目７３ｃ〜７５ｃとにより構成したので、第３〜第５昇降コード７３〜７５の他端近傍を結合具本体５１の第１〜第３凹溝５１ｊ，５１ｋ，５１ｍに挿通した状態で、第３〜第５昇降コード７３〜７５にその長手方向に引っ張り荷重が作用したときに、第３〜第５昇降コード７３〜７５が第１〜第３凹溝５１ｊ，５１ｋ，５１ｍから抜けなくなる。また、第３〜第５昇降コード７３〜７５が第１〜第３凹溝５１ｊ，５１ｋ，５１ｍから抜ける方向の荷重が第１〜第５昇降コード７１〜７５に作用して第３〜第５昇降コード７３〜７５の他端が第１〜第３凹溝５１ｊ，５１ｋ，５１ｍから離脱することにより、スクリーン４７がその自重により下降して第１〜第５昇降コード７１〜７５が上昇したときに、第１及び第２昇降コード７１，７２他端がヘッドレール内に引込まれるのを第１及び第２昇降コード７１，７２他端の結合具本体５１及びカバー体２２が阻止し、第３〜第５昇降コード７３〜７５他端がヘッドレール内に引込まれるのを第３〜第５昇降コード７３〜７５他端の円筒体７３ｂ〜７５ｂが阻止する。この結果、ヘッドレール近傍まで上昇した第１〜第５昇降コード７１〜７５を引下げ、第３〜第５昇降コード７３〜７５の他端近傍を結合具本体５１の第１〜第３凹溝５１ｊ，５１ｋ，５１ｍに挿入して、カバー体２２を結合具本体５１に嵌着するという比較的容易な作業で、コード結合具７０を使用状態に復帰できる。更に、人や物が第１〜第５昇降コード７１〜７５を２群に分けるように第１〜第５昇降コード７１〜７５に引っ掛かって、これら２群の第１〜第５昇降コード７１〜７５を互いに引き離す方向に所定値以上の荷重（昇降コード引き離し荷重：例えば、幼児が昇降コードに引っ掛かった場合に２群の昇降コード間に作用する程度の荷重）がコード結合具７０に作用したときに、上記円筒体７３ｂ〜７５ｂがコード結合具７０内でコード結合具７０に対し又は隣りの円筒体７３ｂ〜７５ｂに対し相対的に変位しようとして、コード結合具７０をその内部から押し広げる荷重（押し広げ荷重）も作用するので、上記昇降コード引き離し荷重と上記押し広げ荷重とにより、結合具本体５１とカバー体２２とを確実に分割できる。上記以外の動作は、第２の実施の形態の動作と略同様であるので、繰返しの説明を省略する。
【００４４】
＜第４の実施の形態＞
図１６〜図２０は本発明の第４の実施の形態を示す。図１６〜図２０において図５〜図９と同一符号は同一部品を示す。この実施の形態では、上記選択された１本の第１昇降コード４１の他端を結合具本体９１に離脱不能に接続するための第１通孔９１ｈが結合具本体９１の上壁９１ｃに形成され、この第１通孔９１ｈが上壁９１ｃの外周縁に沿って延びる長孔状に形成される（図１６）。この長孔状の第１通孔９１ｈは、樽状のコード結合具９０の軸線、即ち操作コード２３の延長線を中心とする円弧状に形成される。また、上記長孔状の第１通孔９１ｈは、結合具本体９１の上壁９１ｃに形成されたＶ字状の遊挿溝９１ｎの先端に対向する位置を基準として、中心角が左右に５０〜６０度ずつ、合計１００〜１２０度である円弧状に形成されることが好ましい。また凹部９１ａ内の上面、即ち上壁９１ｃの下面には、上記長孔状の第１通孔９１ｈの長手方向中央に向って上方に傾斜する傾斜面９１ｐが形成される（図１８〜図２０）。なお、図１６中の符号９１ｑは結合具本体９１の下壁９１ｄの開口端から突設された舌状片であり、符号９２ｇはカバー体９２の開口閉止部９２ａの下部に形成され舌状片に遊嵌可能な角孔である。また、図１６中の符号９２ｈはカバー体９２の開口閉止部９２ａの中央上部に結合具本体９１の第１凹溝９１ｊの上方に対向して突設された突条である。更に、図１６及び図１７中の符号９２ｉ，９２ｉはカバー体９２の開口閉止部９２ａの中央に結合具本体９１の第２及び第３凹溝９１ｋ，９１ｍに対向して突設された一対の突起である。
【００４５】
一方、結合具本体９１は、第２の実施の形態と同様に、横断面が略Ｃ字状に形成され鉛直方向に延びて設けられた胴部９１ｂと、この胴部９１ｂと一体的に設けられ胴部９１ｂの上面を閉止しかつ一部を切欠いた円板状に形成された上壁９１ｃと、胴部９１ｂと一体的に設けられ胴部９１ｂの下面を閉止する略円板状の下壁９１ｄと、凹部９１ａ内の中央上部に水平方向に延びて設けられた仕切壁９１ｅとからなる（図１６〜図２０）。凹部９１ａの両側縁を形成する一対の側壁９１ｆ，９１ｆの外周面には胴部９１ｂの横断面において円周方向の中央が外方に突出するように湾曲しかつ略一定の深さで凹む一対の被係止部９１ｇ，９１ｇが形成される（図１６（ａ）、図１７、図１９及び図２０）。これらの被係止部９１ｇ，９１ｇの上面には上壁９１ｃが突設され、下面には下壁９１ｄが突設される（図１６（ａ）、図１９及び図２０）。また仕切壁９１ｅには、３本の第３〜第５昇降コード４３〜４５が挿通可能であってかつ第３〜第５昇降コード４３〜４５の他端に形成された抜止め部４３ａ〜４５ａが挿通不能な３つの第１〜第３凹溝９１ｊ，９１ｋ，９１ｍが形成される（図１６ａ及び図１７〜図２０）。更に結合具本体９１の上壁９１ｃには第３〜第５昇降コード４３〜４５を遊挿可能なＶ字状の遊挿溝９１ｎが形成される（図１６及び図１８〜図２０）。
【００４６】
カバー体９２は、第２の実施の形態と同様に、凹部９１ａの開口面を開放可能に閉止する開口閉止部９２ａと、この開口閉止部９２ａと一体的に設けられ開口閉止部９２ａの上面の一部を閉止しかつ円板の大部分を切欠いた略半月板状に形成された上面閉止部９２ｂと、開口閉止部９２ａと一体的に設けられ一対の被係止部９１ｇ，９１ｇに弾性変形して係止可能な一対の係止片９２ｃ，９２ｃとからなる（図１６〜図２０）。また、第１〜第５昇降コード４１〜４５は、第２の実施の形態の第１〜第５昇降コードと同一である。上記以外は第２の実施の形態と同一に構成される。
【００４７】
このように構成されたコード結合具９０では、第１昇降コード４１の他端を結合具本体９１に離脱不能に接続するための第１通孔９１ｈを、結合具本体９１の上壁９１ｃの外周縁に沿って延びる長孔状に形成したので、人や物が第１〜第５昇降コード４１〜４５を２群に分けるように第１〜第５昇降コード４１〜４５に引っ掛かって、これら２群の第１〜第５昇降コード４１〜４５を互いに引き離す方向に所定値以上の荷重（昇降コード引き離し荷重：例えば、幼児が昇降コードに引っ掛かった場合に２群の昇降コード間に作用する程度の荷重）がコード結合具９０に作用すると、長孔状の第１通孔９１ｈに遊挿された第１昇降コード４１は長孔状の第１通孔９１ｈの長手方向に移動して、結合具本体９１とカバー体９２とのバランスが崩れ易くなる。この結果、結合具本体９１とカバー体９２が上記昇降コード引き離し荷重によりスムーズに分割されて、第１〜第５昇降コード４１〜４５の他端が確実に離れる。このように第１〜第５昇降コード４１〜４５の他端を確実に分離できるので、人や物を第１〜第５昇降コード４１〜４５から確実に解放できる。
【００４８】
また、結合具本体９１の凹部９１ａ内の上面に長孔状の第１通孔９１ｈの長手方向中央に向って傾斜する傾斜面９１ｐを形成したので、この長孔状の第１通孔９１ｈに遊挿された第１昇降コード４１が通常の使用時に長孔状の第１通孔９１ｈの長手方向中央に寄せられる。この結果、人や物が第１〜第５昇降コード４１〜４５を２群に分けるように第１〜第５昇降コード４１〜４５に引っ掛かって、これら２群の第１〜第５昇降コード４１〜４５を互いに引き離す方向に所定値以上の荷重（昇降コード引き離し荷重：例えば、幼児が昇降コードに引っ掛かった場合に２群の昇降コード間に作用する程度の荷重）がコード結合具９０に作用したときに、長孔状の第１通孔９１ｈに遊挿された第１昇降コード４１が長孔状の第１通孔９１ｈの長手方向中央から長孔状の第１通孔９１ｈの端部に移動するので、結合具本体９１とカバー体９２とのバランスが更に崩れ易くなる。この結果、結合具本体９１とカバー体９２が上記昇降コード引き離し荷重によりスムーズにかつより確実に分割されて、第１〜第５昇降コード４１〜４５の他端がより確実に離れる。このように第１〜第５昇降コード４１〜４５の他端をより確実に分離できるので、人や物を第１〜第５昇降コード４１〜４５からより確実に解放できる。
【００４９】
また、カバー体９２を結合具本体９１に嵌着すると、結合具本体９１の下壁９１ｄの舌状片９１ｑに、カバー体９２の開口閉止部９２ａの角孔９２ｇが遊嵌される。この結果、操作コード２３を把持して引下げたときに、結合具本体９１とカバー体９２との間に第１〜第５昇降コード４１〜４５及び操作コード２３の長手方向に引き離す荷重が作用するけれども、結合具本体９１の一対の被係止部９１ｇ，９１ｇ上面に突設された上壁９１ｃがカバー体９２の上方への移動を阻止するとともに、結合具本体９１の下壁９１ｄに突設された舌状片９１ｑがカバー体９２の上方への移動を阻止するので、カバー体９２は結合具本体９１から離脱しない。更に、カバー体９２を結合具本体９１に嵌着した状態で、カバー体９２の開口閉止部９２ａに突設された突条９２ｈ及び一対の突起９２ｉ，９２ｉが結合具本体９１の第１〜第３凹溝９１ｊ，９１ｋ，９１ｍの開口端を確実に閉止するので、コード結合具９０又は操作コード２３を把持して引下げたときに、第３〜第５昇降コード４４〜４５にその長手方向に第１〜第３凹溝９１ｊ，９１ｋ，９１ｍから引抜こうとする荷重が作用しても、第３〜第５昇降コード４３〜４５が第１〜第３凹溝９１ｊ，９１ｋ，９１ｍから離脱するのを確実に防止できる。上記以外の動作は、第２の実施の形態の動作と略同様であるので、繰返しの説明を省略する。
【００５０】
＜第５の実施の形態＞
図２１〜図２５は本発明の第４の実施の形態を示す。図２１〜図２５において図１６〜図２０と同一符号は同一部品を示す。この実施の形態では、選択された２本の第１及び第２昇降コード７１，７２を除いた残りの第３〜第５昇降コード７３〜７５の他端の抜止め部７３ａ〜７５ａが、第３〜第５昇降コード７３〜７５の他端に嵌着され第１〜第３凹溝９１ｊ，９１ｋ，９１ｍの幅より大径の円筒体７３ｂ〜７５ｂと、第３〜第５昇降コード７３〜７５の他端に円筒体７３ｂ〜７５ｂを嵌入した後に第３〜第５昇降コード７３〜７５の他端を結んで形成された結び目７３ｃ〜７５ｃとにより構成される。上記円筒体７３ｂ〜７５ｂは、上面が閉止され下面が開放された円筒状に形成される（図２３及び図２５）。また円筒体７３ｂ〜７５ｂの上面には第３〜第５昇降コード７３〜７５が挿通可能であって、第３〜第５昇降コード７３〜７５の他端の結び目７３ｃ〜７５ｃが挿通不能な透孔７３ｄ〜７５ｄが形成される。更に円筒体７３ｂ〜７５ｂの内部には第３〜第５昇降コード７３〜７５の結び目７３ｃ〜７５ｃを収容可能に構成され、結合具本体９１の凹部９１ａには３つの円筒体７３ｂ〜７５ｃを収容可能に構成される。なお、円筒体７３ｂ〜７５ｂはヘッドレールに形成された第１〜第５昇降コード７１〜７５の挿通口より大きく形成され、これにより第３〜第５昇降コード７１〜７５の他端がヘッドレール内に引込まれるのを円筒体７３ｂ〜７５ｂが阻止するように構成される。また、結合具本体９１及びカバー体９２はヘッドレールに形成された第１〜第５昇降コード７１〜７５の挿通口より大きく形成され、これにより第１及び第２昇降コード７１，７２の他端がヘッドレール内に引込まれるのを結合具本体９１及びカバー体９２が阻止するように構成される。更に、第１〜第５昇降コード７１〜７５は、第３の実施の形態の第１〜第５昇降コードと同一である。上記以外は第４の実施の形態と同一に構成される。
【００５１】
このように構成されたコード結合具１１０では、第３〜第５昇降コード７３〜７５の他端の抜止め部７３ａ〜７５ａを、第３〜第５昇降コード７３〜７５の他端に嵌入され第３〜第５昇降コード７３〜７５より大径の円筒体と、第３〜第５昇降コード７３〜７５の他端に円筒体７３ｂ〜７５ｂを嵌入した後に第３〜第５昇降コード７３〜７５の他端を結んで形成された結び目７３ｃ〜７５ｃとにより構成したので、これらの円筒体７３ｂ〜７５ｂに係わる動作は、第３の実施の形態の動作と略同様であるので、繰返しの説明を省略する。また、上記円筒体７３ｂ〜７５ｂに係わる動作以外の動作は、第４の実施の形態の動作と略同様であるので、繰返しの説明を省略する。
【００５２】
なお、上記第１の実施の形態では、昇降コードの本数を２本とし、上記第２〜第５の実施の形態では、昇降コードの本数を５本としたが、昇降コードの本数は３本、４本、６本又は７本でもよい。ここで、昇降コードが３本、４本、６本又は７本である場合、３本、４本、６本又は７本の昇降コードのうち選択された１本の昇降コードの他端が結合具本体に離脱不能に接続され、３本、４本、６本又は７本の昇降コードのうち上記選択された１本の昇降コードを除いた残りの昇降コードから更に選択された１本の昇降コードの他端がカバー体に離脱不能に接続され、３本、４本、６本又は７本の昇降コードのうち上記選択された２本の昇降コードを除いた残りの昇降コードが結合具本体内の仕切壁に形成された単一又は複数の凹溝に挿通される。また、昇降コードが３本である場合、上記選択された２本の昇降コードを除いた残りの１本の昇降コードについては、仕切壁に形成された３本の凹溝のいずれかに挿通され、昇降コードが４本である場合、上記選択された２本の昇降コードを除いた残りの２本の昇降コードについては、仕切壁に形成された３本の凹溝のいずれか２つの凹溝に挿通されるか、或いは中央の長い凹溝に２本とも挿通され、昇降コードが６本又は７本である場合、上記選択された２本の昇降コードを除いた残りの４本又は５本の昇降コードについては、仕切壁に形成された３本の凹溝のうち、両側の短い凹溝に１本ずつ挿通され、中央の長い凹溝に残りの２本又は３本が挿通される。
【００５３】
また、上記第１の実施の形態において、第１昇降コードを結合具本体に離脱不能に接続するために結合具本体の上壁に形成された第１通孔を、第４又は第５の実施の形態と同様に長孔状に形成してもよく、また凹部内の上面に長孔状の第１通孔の長手方向中央に向って傾斜する傾斜面を形成してもよい。また、上記第１〜第５の実施の形態では、遮蔽体としてローマンシェードのスクリーンを挙げたが、遮蔽体が、プリーツスクリーンのスクリーン本体や、ベネシャンブラインド（横型ブラインド）の複数のスラット等であってもよい。また、上記第１〜第５の実施の形態では、ヘッドレールを窓枠に取付けたが、ヘッドレールを壁又は天井に取付けてもよい。更に、上記第１〜第５の実施の形態では、結合具本体の下壁に操作コードを離脱不能に接続したが、遮蔽体の全高が小さく形成され、遮蔽体の全閉時にコード結合具が高い位置まで上昇せず、コード結合具に手が届く場合、コード結合具を把持して遮蔽体を昇降できるため、結合具本体の下壁に操作コードを接続しなくてもよい。
【符号の説明】
【００５４】
１１，１２，４１〜４５，７１〜７５  昇降コード
１３，４６  ヘッドレール
１４，４７  スクリーン（遮蔽体）
２０，５０，７０，９０，１１０  コード結合具
２１，５１，９１  結合具本体
２１ａ，５１ａ，９１ａ  凹部
２１ｄ，５１ｄ，９１ｄ  下壁
２２，９２  カバー体
２３  操作コード
４３ａ〜４５ａ，７３ａ〜７５ａ  抜止め部
４３ｂ〜４５ｂ，７３ｃ〜７５ｃ  結び目
５１ｃ，９１ｃ  上壁
５１ｅ，９１ｅ  仕切壁
５１ｊ，５１ｋ，５１ｍ，９１ｊ，９１ｋ，９１ｍ  凹溝
５１ｎ，９１ｎ  遊挿溝
７３ｂ〜７５ｂ  円筒体
９１ｈ  長孔状の第１通孔（長孔状の通孔）
９１ｐ  傾斜面
９１ｑ  舌状片
９２ｇ  角孔
【要約】
【課題】２本又は２群の昇降コードを互いに引き離す方向に所定値以上の荷重がコード結合具に作用したときに、これらの昇降コードの他端をスムーズに分離し、人や物を昇降コードから速やかに解放する。
【解決手段】窓枠、壁又は天井に取付けられたヘッドレール１３から遮蔽体１４が垂下され、一端が遮蔽体１４に接続されヘッドレール１３内を通って配索された複数の昇降コード１１，１２の他端がヘッドレール１３の一端から垂下され、複数の昇降コード１１，１２の他端をコード結合部２０がまとめて結合するように構成される。このコード結合具２０は、複数の昇降コード１１，１２が２本に分かれかつこれら２本の昇降コード１１，１２を互いに引き離す方向の荷重が２本の昇降コード１１，１２に作用したときに、２本の昇降コード１１，１２の他端が互いに離れるように分割可能に構成される。
【選択図】図１【図１】
0005813260.tif 000002
【図２】
0005813260.tif 000003
【図３】
0005813260.tif 000004
【図４】
0005813260.tif 000005
【図５】
0005813260.tif 000006
【図６】
0005813260.tif 000007
【図７】
0005813260.tif 000008
【図８】
0005813260.tif 000009
【図９】
0005813260.tif 000010
【図１０】
0005813260.tif 000011
【図１１】
0005813260.tif 000012
【図１２】
0005813260.tif 000013
【図１３】
0005813260.tif 000014
【図１４】
0005813260.tif 000015
【図１５】
0005813260.tif 000016
【図１６】
0005813260.tif 000017
【図１７】
0005813260.tif 000018
【図１８】
0005813260.tif 000019
【図１９】
0005813260.tif 000020
【図２０】
0005813260.tif 000021
【図２１】
0005813260.tif 000022
【図２２】
0005813260.tif 000023
【図２３】
0005813260.tif 000024
【図２４】
0005813260.tif 000025
【図２５】
0005813260.tif 000026